(57)【要約】【課題】眩惑の発生を抑制する移動体照明装置等を提供する。【解決手段】移動体照明装置１００は、１以上の主光源１１１と、移動体２００の進行方向側から見て、主光源１１１の周囲に配置される１以上の副光源１１２と、主光源１１１の光出射方向側に配置され、主光源１１１から発せられた光を導光して出射する第１導光部材１４１と、副光源１１２の光出射方向側に配置され、副光源１１２から発せられた光を導光して出射する第２導光部材１４２と、第１導光部材１４１及び第２導光部材１４２から出射された光を、移動体２００の進行方向側へ出射する光学部材１５０と、主光源１１１を副光源１１２よりも大きい光量で発光させる第１モード、及び、副光源１１２を主光源１１１よりも大きい光量で発光させる第２モードの切り替えを制御する制御部１３０と、を備える。【選択図】図３
2019175826.tif 000002
【特許請求の範囲】
【請求項１】
移動体の進行方向に光を照射する移動体照明装置であって、
１以上の主光源と、
前記進行方向側から見て、前記主光源の周囲に配置される１以上の副光源と、
前記主光源の光出射方向側に配置され、前記主光源から発せられた光を導光して出射する第１導光部材と、
前記副光源の光出射方向側に配置され、前記副光源から発せられた光を導光して出射する第２導光部材と、
前記第１導光部材及び前記第２導光部材から出射された光を、前記移動体の進行方向側へ出射する光学部材と、
前記主光源を前記副光源よりも大きい光量で発光させる第１モード、及び、前記副光源を前記主光源よりも大きい光量で発光させる第２モードの切り替えを制御する制御部と、を備える
移動体照明装置。
【請求項２】
前記第１導光部材は、前記主光源からの光をコリメートして出射し、
前記第２導光部材は、前記副光源からの光をコリメートして出射する
請求項１に記載の移動体照明装置。
【請求項３】
前記第２導光部材は、前記進行方向側から見て、前記第１導光部材の少なくとも一部を囲む
請求項２に記載の移動体照明装置。
【請求項４】
前記第１導光部材は、前記進行方向に平行な方向に長尺な棒状であり、
前記第２導光部材は、前記進行方向に平行な方向に長尺であり、且つ、前記進行方向側から見て樋状である
請求項３に記載の移動体照明装置。
【請求項５】
前記進行方向側から見て、前記主光源を囲むように配置された複数の前記副光源を有し、
前記第２導光部材は、複数の前記副光源のそれぞれに向かって突出する複数の凸部を有する
請求項３又は４に記載の移動体照明装置。
【請求項６】
複数の前記主光源と、
前記主光源及び前記副光源を有する第１発光部と、
前記主光源及び前記副光源のうち少なくとも前記主光源を有する第２発光部と、を備え、
前記制御部は、さらに、
前記第２発光部が有する前記主光源を、前記第１発光部が有する前記主光源よりも大きい光量で発光させる第３モードへの切り替えを制御する
請求項１〜５のいずれか１項に記載の移動体照明装置。
【請求項７】
前記制御部は、前記第２モードにおいて、
前記第１発光部が有する前記副光源と、前記第２発光部が有する前記主光源とを発光させる
請求項６に記載の移動体照明装置。
【請求項８】
前記第１発光部及び前記第２発光部は、前記進行方向に直交する水平方向に並んで前記移動体に配置され、
前記進行方向側から見た場合に、前記第１発光部は、前記第２発光部より前記移動体の内方に配置される
請求項６又は７に記載の移動体照明装置。
【請求項９】
さらに、前記第２発光部を複数備え、
複数の前記第２発光部は、前記進行方向側から見た場合に、前記移動体の外方に向かうにつれて鉛直方向に屈曲するように並んで配置される
請求項８に記載の移動体照明装置。
【請求項１０】
前記光学部材は、前記第１導光部材から出射された第１出射光を、前記第２導光部材から出射された第２出射光よりも鉛直下方側に向けて、前記移動体の進行方向側へ出射する
請求項１〜９のいずれか１項に記載の移動体照明装置。
【請求項１１】
請求項１〜１０のいずれか１項に記載の移動体照明装置を前照灯として備える
移動体。
【発明の詳細な説明】
【技術分野】
【０００１】
本発明は、移動体の進行方向を照らす移動体照明装置及び当該移動体照明装置を備える移動体に関する。
【背景技術】
【０００２】
従来から、車両用ヘッドランプ等の灯具（移動体照明装置）には、夜間に前方を照らすためのロービームの他に、昼間に前方へ車両の存在を示すためのデイタイムランニングランプ（ＤＲＬ）を搭載したものが知られている。
【０００３】
例えば、特許文献１には、昼間照明の配光を調整しつつ、且つ、小型化が可能な灯具が開示されている。
【先行技術文献】
【特許文献】
【０００４】
【特許文献１】特開２０１７−２０８２０８号公報
【発明の概要】
【発明が解決しようとする課題】
【０００５】
ところで、例えば、灯具が備えるＤＲＬを点灯している際に、ロービームに灯具の点灯状態を切り替えた場合、ロービームを点灯した車両の対向車の運転手に、ロービームによる眩惑を生じさせる場合がある。
【０００６】
本発明は、眩惑の発生を抑制する移動体照明装置等を提供する。
【課題を解決するための手段】
【０００７】
本発明の一態様に係る移動体照明装置は、移動体の進行方向に光を照射する移動体照明装置であって、１以上の主光源と、前記進行方向側から見て、前記主光源の周囲に配置される１以上の副光源と、前記主光源の光出射方向側に配置され、前記主光源から発せられた光を導光して出射する第１導光部材と、前記副光源の光出射方向側に配置され、前記副光源から発せられた光を導光して出射する第２導光部材と、前記第１導光部材及び前記第２導光部材から出射された光を、前記移動体の進行方向側へ出射する光学部材と、前記主光源を前記副光源よりも大きい光量で発光させる第１モード、及び、前記副光源を前記主光源よりも大きい光量で発光させる第２モードの切り替えを制御する制御部と、を備える。
【０００８】
また、本発明の一態様に係る移動体は、上記記載の移動体照明装置を前照灯として備える。
【発明の効果】
【０００９】
本発明の一態様に係る移動体照明装置等によれば、眩惑の発生が抑制される。
【図面の簡単な説明】
【００１０】
【図１】図１は、実施の形態に係る移動体照明装置を備える移動体を示す図である。
【図２】図２は、実施の形態に係る移動体照明装置を示す斜視図である。
【図３】図３は、図２のＩＩＩ−ＩＩＩ線における、実施の形態に係る移動体照明装置の断面を示す断面図である。
【図４】図４は、実施の形態に係る移動体照明装置が備える主光源及び副光源の配置を説明するための図である。
【図５】図５は、実施の形態に係る移動体照明装置が備える導光部材及び光学部材を示す上面図である。
【図６】図６は、実施の形態に係る移動体照明装置の特徴的な機能構成を示すブロック図である。
【図７Ａ】図７Ａは、実施の形態に係る移動体照明装置が備える主光源を点灯させた状態を説明するための図である。
【図７Ｂ】図７Ｂは、実施の形態に係る移動体照明装置の主光源を点灯させた状態を説明するための断面図である。
【図７Ｃ】図７Ｃは、実施の形態に係る移動体照明装置の主光源を点灯させた場合の配光特性を示す図である。
【図８Ａ】図８Ａは、実施の形態に係る移動体照明装置が備える副光源を点灯させた状態を説明するための図である。
【図８Ｂ】図８Ｂは、実施の形態に係る移動体照明装置の副光源を点灯させた状態を説明するための断面図である。
【図８Ｃ】図８Ｃは、実施の形態に係る移動体照明装置の副光源を点灯させた場合の配光特性を示す図である。
【図９Ａ】図９Ａは、実施の形態に係る移動体照明装置が備える導光部材を示す斜視図である。
【図９Ｂ】図９Ｂは、実施の形態に係る移動体照明装置が備える導光部材及び光学部材の配光特性を示す図である。
【図１０Ａ】図１０Ａは、比較例に係る移動体照明装置が備える導光部材を示す斜視図である。
【図１０Ｂ】図１０Ｂは、比較例の形態に係る移動体照明装置が備える導光部材及び光学部材の配光特性を示す図である。
【図１１】図１１は、導光部材の変形例と主光源及び副光源との位置関係を説明するための図である。
【図１２】図１２は、導光部材の変形例の形状を説明するための図である。
【発明を実施するための形態】
【００１１】
以下、本発明の実施の形態について、図面を参照しながら説明する。なお、以下で説明する実施の形態は、いずれも包括的又は具体的な例を示すものである。以下の実施の形態で示される数値、形状、材料、構成要素、構成要素の配置位置及び接続形態等は、一例であり、本発明を限定する主旨ではない。また、以下の実施の形態における構成要素のうち、最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付しており、重複する説明は省略又は簡略化される場合がある。
【００１３】
また、本明細書において、「前方」とは、移動体照明装置から光が出射する方向（光出射方向）であって、光が取り出される光取り出し方向（すなわち、照明方向）であるとする。また、「前方」は、移動体照明装置が設置される車両が前進する際の進行方向とする。
【００１４】
また、本明細書において、Ｚ軸方向は、例えば鉛直方向であり、また、Ｚ軸の負方向側は、下側（下方）と記載される場合がある。また、Ｘ軸の正方向側は、前方と記載される場合がある。また、Ｙ軸方向及びＸ軸方向は、Ｚ軸に垂直な平面（水平面）上において、互いに直交する方向である。また、Ｙ軸方向は、水平方向と記載される場合がある。
【００１５】
また、本明細書において、例えば、「水平方向」等の方向を示す表現を用いる場合がある。この場合、「水平方向」とは、完全に水平方向である場合だけでなく、製造又は配置の際に生じる数％程度の誤差を含むことを意味する。
【００１６】
（実施の形態）
［移動体照明装置の構成］
まず、図１〜図６を参照して、実施の形態に係る移動体照明装置の構成について説明する。
【００１７】
実施の形態に係る移動体照明装置は、移動体の進行方向に光を照射するために移動体の進行方向側に設置され、移動体の進行方向に光を照射する。移動体照明装置は、例えば、自動車、バイク又は自転車等の移動体に用いられる。
【００１８】
図１は、実施の形態に係る移動体照明装置１００を備える移動体２００を示す図である。
【００１９】
移動体２００は、移動体照明装置１００を前照灯として備える。本実施の形態においては、移動体２００は、進行方向である前方（Ｘ軸正方向側）に２つの移動体照明装置１００を備える。本実施の形態において、移動体２００は自動車である。
【００２０】
図２は、実施の形態に係る移動体照明装置１００を示す斜視図である。なお、図２には、図１に示す移動体２００が備える２つの移動体照明装置１００のうち、Ｙ軸正方向側の移動体照明装置１００を示している。図１に示す移動体２００が備える２つの移動体照明装置１００のうち、Ｙ軸負方向側の移動体照明装置１００は、例えば、図２に示す移動体照明装置１００の各構成要素がＸＺ平面に対して反転させた構造となっている。
【００２１】
移動体照明装置１００は、１以上の第１発光部１１０と、１以上の第２発光部１２０と、を備える。本実施の形態においては、移動体照明装置１００は、７つの第１発光部１１０と、７つの第２発光部１２０と、を備える。
【００２２】
第１発光部１１０及び第２発光部１２０は、移動体２００の前方遠方に向けて白色光を出射する。
【００２３】
図３は、図２のＩＩＩ−ＩＩＩ線における、実施の形態に係る移動体照明装置１００の断面を示す断面図である。図４は、実施の形態に係る移動体照明装置１００が備える主光源１１１及び副光源１１２の配置を説明するための図である。図５は、実施の形態に係る移動体照明装置１００が備える第１導光部材１４１、１４３及び光学部材１５０、１５１を示す上面図である。図６は、実施の形態に係る移動体照明装置１００の特徴的な機能構成を示すブロック図である。
【００２４】
なお、図３及び図４においては、第１発光部１１０を図示しているが、第２発光部１２０も、例えば、第１発光部１１０と構造は同様でもよい。また、図４は、移動体２００の進行方向側から見た場合の、第１導光部材１４１、第２導光部材１４２、主光源１１１及び副光源１１２の配置を説明する図であり、光学部材１５０の図示を省略している。
【００２５】
また、図５は、第１発光部１１０及び第２発光部１２０がそれぞれ備える主光源１１１、１２１に対応する第１導光部材１４１、１４３の上面図を図示しており、筐体１８０、第１発光部１１０及び第２発光部１２０がそれぞれ備える副光源１１２、１２２に対応する第２導光部材１４２、１４４等の図示は、省略している。また、図５には、図１に示す移動体２００が備える２つの移動体照明装置１００のうち、Ｙ軸正方向側の移動体照明装置１００を示している。図１に示す移動体２００が備える２つの移動体照明装置１００のうち、Ｙ軸負方向側の移動体照明装置１００は、例えば、図５に示す移動体照明装置１００の各構成要素がＸＺ平面に対して反転させた構造となっている。
【００２６】
図２に示すように、移動体照明装置１００は、１以上の第１発光部１１０と、１以上の第２発光部１２０とからなる複数の発光部を備える。移動体照明装置１００が備える複数の発光部は、移動体２００の進行方向に直交する水平方向（本実施の形態においては、Ｘ軸方向）に並んで移動体２００に配置されている。また、移動体２００の進行方向側から見た場合に、第１発光部１１０は、第２発光部１２０より移動体２００の内方に配置されている。具体的には、図２に示すように、Ｘ軸正方向側から移動体照明装置１００を見た場合に、第１発光部１１０は、第２発光部１２０よりＹ軸正方向側に配置されている。
【００２７】
なお、図１に示す移動体２００が備える２つの移動体照明装置１００のうち、Ｙ軸負方向側の移動体照明装置１００においては、Ｘ軸正方向側から移動体照明装置１００を見た場合に、第１発光部１１０は、第２発光部１２０よりＹ軸負方向側に配置されている。
【００２８】
また、移動体照明装置１００が第２発光部１２０を複数備える場合、複数の第２発光部１２０は、移動体２００の進行方向側から見た場合に、移動体２００の外方に向かうにつれて鉛直方向に屈曲するように並んで配置される。本実施の形態においては、複数の第２発光部１２０は、移動体２００の進行方向側から見た場合に、移動体２００の外方に向かうにつれて鉛直上方に屈曲するように並んで配置される。
【００２９】
第１発光部１１０は、主光源１１１及び副光源１１２を有する。具体的には、第１発光部１１０は、１以上の主光源１１１と、１以上の副光源１１２と、第１導光部材１４１と、第２導光部材１４２と、光学部材１５０と、基台１６１と、基板１７０と、筐体１８０と、を備える。本実施の形態においては、図４に示すように、第１発光部１１０は、１つの主光源１１１と、３つの副光源１１２と、を備える。
【００３０】
主光源１１１は、白色光である出射光（第１出射光）Ｌ１発する光源である。また、副光源１１２は、白色光である出射光（第２出射光）Ｌ２を発する光源である。主光源１１１及び副光源１１２は、例えば、それぞれ青色光を発するＬＥＤ（Ｌｉｇｈｔ  Ｅｍｉｔｔｉｎｇ  Ｄｉｏｄｅ）チップと、ＬＥＤチップが発した青色光を励起光として黄色蛍光を発するイットリウム・アルミニウム・ガーネット（ＹＡＧ）等の蛍光体とを備える。ＬＥＤチップが発した青色光の一部は、蛍光体によって黄色光に波長変換される。そして、蛍光体に吸収されなかった青色光と、蛍光体によって波長変換された黄色光とは、混合されて白色光として主光源１１１及び副光源１１２から発せられる。
【００３１】
図３及び図４に示すように、主光源１１１は、移動体２００の進行方向側から見た場合に、副光源１１２の鉛直下方側に配置されている。
【００３２】
第１導光部材１４１は、主光源１１１から発せられた出射光Ｌ１を導光して、光学部材１５０へ向けて出射する。第１導光部材１４１は、主光源１１１のＸ軸正方向側に配置されている。
【００３３】
第２導光部材１４２は、副光源１１２から発せられた出射光Ｌ２を導光して、光学部材１５０へ向けて出射する。第２導光部材１４２は、複数の副光源１１２のＸ軸正方向側にそれぞれ配置されている。
【００３４】
第１導光部材１４１は、例えば、主光源１１１から発せられた出射光Ｌ１を平行光にして、つまり、コリメートして、光学部材１５０に向けて出射する。
【００３５】
第２導光部材１４２は、例えば、副光源１１２から発せられた出射光Ｌ２を平行光にして、つまり、コリメートして、光学部材１５０に向けて出射する。
【００３６】
また、本実施の形態においては、例えば、第１発光部１１０は、複数の副光源１１２を備える。このような場合、第２導光部材１４２は、例えば、移動体２００の進行方向側から見て、第１導光部材１４１の少なくとも一部を囲むように配置されている。
【００３７】
なお、移動体２００の進行方向側から見た場合に、第２導光部材１４２は、第１導光部材１４１の全周を囲むように配置されていてもよいし、例えば、下方側のみを囲むように配置されていてもよい。本実施の形態では、移動体２００の進行方向側から見た場合に、１つの第１導光部材１４１の下方を、３つの第２導光部材１４２によって囲む構成を例示している。
【００３８】
また、移動体照明装置１００は、移動体２００の進行方向側から見た場合に、１つの第２導光部材１４２によって、第１導光部材１４１を囲む構成でもよいし、複数の第２導光部材１４２によって、第１導光部材１４１を囲む構成でもよい。
【００３９】
第１導光部材１４１及び第２導光部材１４２は、例えば、透光性を有するガラス材料又はアクリル若しくはポリカーボネート等の透明樹脂材料によって形成される。
【００４０】
光学部材１５０は、主光源１１１及び副光源１１２から発せられる出射光Ｌ１、Ｌ２の配光を制御するための光学部材であり、筐体１８０に保持されている。具体的には、光学部材１５０は、第１導光部材１４１及び第２導光部材１４２のそれぞれから出射された出射光Ｌ１、Ｌ２を導光して移動体２００の進行方向側へ出射する。光学部材１５０は、例えば、レンズである。光学部材１５０は、例えば、透光性を有するガラス材料又はアクリル若しくはポリカーボネート等の透明樹脂材料によって形成される。
【００４１】
基台１６１は、主光源１１１、副光源１１２、筐体１８０、第１導光部材１４１、第２導光部材１４２等が配置される台である。基台１６１の材料は、特に限定されないが、例えば、金属材料である。
【００４２】
基板１７０は、主光源１１１及び副光源１１２が実装される基板である。基板１７０の材料は、特に限定されないが、例えば、金属基板、セラミック基板等が採用される。
【００４３】
筐体１８０は、主光源１１１及び副光源１１２を収容し、主光源１１１及び副光源１１２が発する白色光を透過する光学部材１５０を保持する筐体である。筐体１８０の材料は、特に限定されないが、例えば金属材料が採用される。
【００４４】
第２発光部１２０は、主光源１２１及び副光源１２２のうち、少なくとも主光源１２１を有する。具体的には、第２発光部１２０は、１以上の主光源１２１と、１以上の副光源１２２と、第１導光部材１４３と、第２導光部材１４４と、光学部材１５０と、基台１６１と、基板１７０と、筐体１８０と、を備える。本実施の形態においては、図４に示す第１発光部１１０と同様に、第２発光部１２０は、１つの主光源１２１と、３つの副光源１２２と、を備える。
【００４５】
主光源１２１は、白色光である出射光（第１出射光）Ｌ３発する光源である。また、副光源１１２は、白色光である出射光（第２出射光）Ｌ４を発する光源である。主光源１２１及び副光源１２２は、例えば、主光源１１１及び副光源１１２と同様に、それぞれ青色光を発するＬＥＤチップと、ＬＥＤチップが発した青色光を励起光として黄色蛍光を発するＹＡＧ等の蛍光体とを備える。
【００４６】
主光源１２１は、移動体２００の進行方向側から見た場合に、副光源１２２の鉛直下方側に配置されている。
【００４７】
第１導光部材１４３は、主光源１２１から発せられた出射光Ｌ３を導光して、光学部材１５１へ向けて出射する。第１導光部材１４３は、主光源１２１のＸ軸正方向側に配置されている。
【００４８】
第２導光部材１４４は、副光源１２２から発せられた出射光Ｌ４を導光して、光学部材１５１へ向けて出射する。第２導光部材１４４は、複数の副光源１２２のＸ軸正方向側にそれぞれ配置されている。
【００４９】
第１導光部材１４３は、例えば、主光源１２１から発せられた出射光Ｌ３を平行光にして、つまり、コリメートして、光学部材１５１に向けて出射する。
【００５０】
第２導光部材１４４は、例えば、副光源１２２から発せられた出射光Ｌ４を平行光にして、つまり、コリメートして、光学部材１５１に向けて出射する。
【００５１】
第１導光部材１４３及び第２導光部材１４４は、例えば、透光性を有するガラス材料又はアクリル若しくはポリカーボネート等の透明樹脂材料によって形成される。
【００５２】
光学部材１５１は、主光源１２１及び副光源１２２から発せられる出射光Ｌ３、Ｌ４の配光を制御するための光学部材であり、第１発光部１１０と同様に、筐体に保持されている。具体的には、光学部材１５１は、第１導光部材１４３及び第２導光部材１４４のそれぞれから出射された出射光Ｌ３、Ｌ４を導光して移動体２００の進行方向側へ出射する。光学部材１５１は、例えば、レンズである。光学部材１５１は、例えば、透光性を有するガラス材料又はアクリル若しくはポリカーボネート等の透明樹脂材料によって形成される。
【００５３】
基台１６２は、主光源１２１、副光源１２２、第１導光部材１４３、第２導光部材１４４等が配置される台である。基台１６２の材料は、特に限定されないが、例えば、金属材料である。
【００５４】
また、第２発光部１２０もまた、第１発光部１１０と同様に、主光源１１１及び副光源１１２が実装される基板を備える。
【００５５】
制御部１３０は、主光源１１１、１２１及び副光源１１２、１２２の光出力を制御する制御装置である。制御部１３０は、例えば、移動体照明装置１００からハイビームを出射させる場合には、第１発光部１１０及び第２発光部１２０が備える主光源１１１、１２１を全点灯させ、ロービームを出射させる場合には、少なくとも第２発光部１２０の主光源１２１を点灯させる。また、例えば、副光源１１２、１２２は、ＤＲＬ（Ｄａｙｌｉｇｈｔ  Ｒｕｎｎｉｎｇ  Ｌａｍｐｓ）として用いられる。
【００５６】
制御部１３０は、例えばＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｌｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、フラッシュメモリ等の記憶装置（不図示）に記憶された制御プログラムとによってソフトウェア的に実現されるプロセッサである。制御部１３０は、ゲートアレイ等を用いた専用の電子回路によってハードウェア的に実現されてもよい。
【００５７】
制御部１３０は、主光源１１１を副光源１１２よりも大きい光量で、主光源１１１及び副光源１１２を発光させる第１モード、及び、副光源１１２を主光源１１１よりも大きい光量で、主光源１１１及び副光源１１２を発光させる第２モードの切り替えを制御する。
【００５８】
例えば、制御部１３０は、第２モードにおいて、第１発光部１１０が有する副光源１１２と、第２発光部１２０が有する主光源１２１とを発光させる。
【００５９】
また、移動体照明装置１００は、例えば、第１発光部１１０及び第２発光部１２０を備えるように、主光源及び副光源を有する発光部を複数備える場合がある。この場合、制御部１３０は、さらに、複数の発光部のうちの少なくとも１つである第２発光部１２０が有する主光源（第２主光源）１２１を、複数の発光部のうちの第２発光部１２０を除く第１発光部１１０が有する主光源（第１主光源）１１１よりも大きい光量で発光させる第３モードの切り替えを制御する。
【００６０】
なお、図示されないが、制御部１３０は、主光源１１１及び副光源１１２とリード線等によって電気的に接続される。
【００６１】
［移動体照明装置の配光特性］
続いて、図７Ａ〜図８Ｃを参照して、実施の形態に係る移動体照明装置１００が照射する光の配光特性について説明する。
【００６２】
図７Ａは、実施の形態に係る移動体照明装置１００が備える主光源１１１を点灯させた状態を説明するための図である。図７Ｂは、実施の形態に係る移動体照明装置１００の主光源１１１を点灯させた状態を説明するための断面図である。図７Ｃは、実施の形態に係る移動体照明装置１００の主光源１１１、１２１を点灯させた場合の配光特性を示す図である。
【００６３】
なお、図７Ａにおいては、主光源１１１のみが点灯され、３つの副光源１１２が点灯していないことを説明するために、主光源１１１には、断面を示すものではないが、ハッチングを付して図示している。
【００６４】
また、図７Ｂは、図２に示すＩＩＩ−ＩＩＩ線における断面に対応する断面図である。また、図７Ａ及び図７Ｂにおいては、複数の第１発光部１１０のうちの１つのみを図示している。図７Ｃには、図７Ａ及び図７Ｂに図示しない他の第１発光部１１０及び第２発光部１２０に関しても同様の点灯状態（つまり、それぞれの主光源が発光している状態）である場合の配光特性を示している。
【００６５】
図７Ｂに示すように、主光源１１１から発せられた出射光Ｌ１は、光学部材１５０によって、鉛直下方側へ出射される。
【００６６】
図８Ａは、実施の形態に係る移動体照明装置１００が備える副光源１１２を点灯させた状態を説明するための図である。図８Ｂは、実施の形態に係る移動体照明装置１００の副光源１１２を点灯させた状態を説明するための断面図である。図８Ｃは、実施の形態に係る移動体照明装置１００の副光源１１２を点灯させた場合の配光特性を示す図である。
【００６７】
なお、図８Ａにおいては、３つの副光源１１２が点灯され、主光源１１１が点灯していないことを説明するために、３つの副光源１１２には、断面を示すものではないが、ハッチングを付して図示している。
【００６８】
また、図８Ｂは、図２に示すＩＩＩ−ＩＩＩ線における断面に対応する断面図である。また、図８Ａ及び図８Ｂにおいては、複数の第１発光部１１０のうちの１つのみを図示している。図８Ｃには、図８Ａ及び図８Ｂに図示しない他の第１発光部１１０及び第２発光部１２０に関しても同様の点灯状態（つまり、それぞれの副光源が発光している状態）である場合の配光特性を示している。
【００６９】
図８Ｂに示すように、副光源１１２から発せられた出射光Ｌ２は、光学部材１５０によって、図７Ｂに示す出射光Ｌ１よりも、略水平方向側に出射される。
【００７０】
以上のように、主光源１１１から発せられる出射光Ｌ１は、副光源１１２から発せられる出射光Ｌ２よりも鉛直下方側に照射される。具体的には、光学部材１５０は、第１導光部材１４１から出射された第１出射光Ｌ１を、第２導光部材１４２から出射された第２出射光Ｌ２よりも鉛直下方側に向けて、移動体２００の進行方向側へ出射する。
【００７１】
［導光部材］
続いて、図９Ａ〜図１０Ｂを参照して、導光部材の構成及び配光特性について説明する。
【００７２】
図９Ａは、実施の形態に係る移動体照明装置１００が備える第１導光部材１４１を示す斜視図である。図９Ｂは、実施の形態に係る移動体照明装置１００が備える第１導光部材１４１及び光学部材１５０の配光特性を示す図である。
【００７３】
図９Ａに示すように、第１導光部材１４１は、移動体２００の進行方向（つまり、Ｘ軸方向）に長尺な形状となっている。また、第１導光部材１４１は、主光源１１１から発せられた出射光Ｌ１を出射する光出射面である出射面１４１ａを有する。出射面１４１ａは、移動体２００の進行方向（つまり、Ｘ軸方向）から見た場合に、矩形の４つの角を丸くした形状となっている。例えば、出射面１４１ａは、円形となっている。
【００７４】
このような構成によれば、図９Ｂに示すような、最大光量（図９Ｂに示す横軸が０であり、縦軸が０である位置）となる地点から遠ざかっても、略均一な光量が維持され、且つ、所定の距離まで遠ざかると光量が急激に減衰するような、光が照射される箇所と照射されない箇所とを区別した光を移動体照明装置１００から出射させることができる。
【００７５】
図１０Ａは、比較例に係る移動体照明装置が備える導光部材２４１を示す斜視図である。図１０Ｂは、比較例の形態に係る移動体照明装置が備える導光部材２４１及び光学部材１５０の配光特性を示す図である。
【００７６】
比較例に係る導光部材２４１は、第１導光部材１４１と出射面２４１ａの形状のみが異なる。具体的には、出射面２４１ａは、移動体２００の進行方向（つまり、Ｘ軸方向）から見た場合に、矩形となっている。
【００７７】
このような構成によれば、図１０Ｂに示すような、光が照射される箇所と照射されない箇所とが明確に区別されず、最大光量（図１０Ｂに示す横軸が０であり、縦軸が０である位置）となる地点から遠ざかるにしたがって徐々に光量が低下する光が移動体照明装置から出射されることとなる。
【００７８】
以上のように、出射面１４１ａを移動体２００の進行方向から見た場合に、矩形の角を丸めた構造とすることで、所望の照射位置に略均一な光量の光を照射させることができる。
【００７９】
なお、図９Ａ及び図９Ｂにおいては、説明のために、第１導光部材１４１の構造について示している。第１導光部材１４３、及び、第２導光部材１４２、１４４においても、図９Ａ及び図９Ｂに示す第１導光部材１４１の構造であるとよい。
【００８０】
［効果等］
以上説明したように、実施の形態に係る移動体照明装置１００は、移動体２００に配置され、移動体２００の進行方向に光を照射する移動体照明装置である。移動体照明装置１００は、１以上の主光源１１１と、移動体２００の進行方向側から見て、主光源１１１の周囲に配置される１以上の副光源１１２と、主光源１１１の光出射方向側に配置され、主光源１１１から発せられた光を導光して出射する第１導光部材１４１と、副光源１１２の光出射方向側に配置され、副光源１１２から発せられた光を導光して出射する第２導光部材１４２と、第１導光部材１４１及び第２導光部材１４２から出射された光を、移動体２００の進行方向側へ出射する光学部材１５０と、主光源１１１を副光源１１２よりも大きい光量で発光させる第１モード、及び、副光源１１２を主光源１１１よりも大きい光量で発光させる第２モードの切り替えを制御する制御部１３０と、を備える。
【００８１】
これにより、主光源１１１から発せられる出射光Ｌ１及び副光源１１２から発せられる出射光Ｌ２は、いずれも光学部材１５０を導光して出射される。そのため、例えば、副光源１１２をＤＲＬ用の光源として用い、主光源１１１をハイビーム用の光源として用いる場合、ＤＲＬからハイビームへ切り替えた場合においても、同一の光学部材１５０からそれぞれの光は出射される。そのため、例えば、ＤＲＬからハイビームへ切り替えた場合においても、移動体照明装置１００における、光の出射位置の変化を抑制することができる。そのため、移動体照明装置１００によれば、例えば、移動体２００の対向車の運転手等において眩惑が発生することが、抑制される。
【００８２】
例えば、第１導光部材１４１は、主光源１１１からの光をコリメートして出射し、第２導光部材１４２は、副光源１１２からの光をコリメートして出射する。
【００８３】
これにより、移動体照明装置１００は、所望の光照射位置の光強度が高く、且つ、所望の光照射位置の光強度を低くするような、光が照射される箇所と照射されない箇所との光量の差を大きくした光を出射することができる。
【００８４】
また、例えば、第２導光部材１４２は、移動体２００の進行方向側から見て、第１導光部材１４１の少なくとも一部を囲む。
【００８５】
このような構成によれば、例えば、副光源１１２をＤＲＬ用の光源として用い、主光源１１１をハイビーム用の光源として用いる場合、ＤＲＬからハイビームへ切り替えた場合に、疑似的に配光角を狭角にして光量を高めたような光を、移動体照明装置１００から出射させることができる。これにより、移動体照明装置１００から発せられる光の出射位置の変化は、より抑制される。そのため、移動体照明装置１００によれば、眩惑は、より抑制される。
【００８６】
また、例えば、移動体照明装置１００は、複数の主光源を備える。具体的には、移動体照明装置１００は、例えば、主光源１１１及び副光源１１２を有する第１発光部１１０と、主光源１２１及び副光源１２２のうち少なくとも主光源１２１を有する第２発光部１２０と、を備える。この場合、制御部１３０は、さらに、第２発光部１２０が有する主光源１２１を、第１発光部１１０が有する主光源１１１よりも大きい光量で発光させる第３モードへの切り替えを制御する。
【００８７】
これにより、第３モードにおける、眩惑の発生は、抑制される。ここで、第３モードとは、例えば、ロービームが出射されるモードである。つまり、移動体照明装置１００によれば、ロービームを出射した際の眩惑の発生は、より抑制される。
【００８８】
また、例えば、制御部１３０は、第２モードにおいて、第１発光部１１０が有する副光源１１２と、第２発光部１２０が有する主光源１２１とを発光させる。
【００８９】
このような構成によれば、移動体照明装置１００が発光部を複数備える場合、制御部１３０がモードを変更した場合においても、第１発光部１１０及び第２発光部１２０のいずれからも光が出射されることとなる。これにより、移動体照明装置１００から発せられる光の出射位置の変化は、より抑制される。そのため、移動体照明装置１００によれば、眩惑は、より抑制される。
【００９０】
また、例えば、第１発光部１１０及び第２発光部１２０は、移動体２００の進行方向に直交する水平方向に並んで移動体２００に配置され、移動体２００の進行方向側から見た場合に、第１発光部１１０は、第２発光部１２０より移動体２００の内方に配置される。
【００９１】
このような構成によれば、制御部１３０がモードを切り替えた場合においても、複数の発光部が並んで配置されているために、例えば、移動体２００の対向車の運転手が予期しない位置が光ることが抑制される。そのため、移動体照明装置１００によれば、眩惑は、より抑制される。
【００９２】
また、例えば、移動体照明装置１００は、第２発光部１２０を複数備える。この場合、複数の第２発光部１２０は、移動体２００の進行方向側から見た場合に、移動体２００の外方に向かうにつれて鉛直方向に屈曲するように並んで配置される。
【００９３】
このような構成によれば、対向車の運転手から移動体照明装置１００を見た場合に、複数の第１発光部１１０が配置されている箇所が屈曲しているために、当該運転手の注意を引き易くなる。そのため、当該運転手にとっては、移動体２００における、意識していない箇所が不意に光る可能性が減少する。そのため、移動体照明装置１００によれば、眩惑は、より抑制される。
【００９４】
また、例えば、光学部材１５０は、第１導光部材１４１から出射された第１出射光Ｌ１を、第２導光部材１４２から出射された第２出射光Ｌ２よりも鉛直下方側に向けて、移動体２００の進行方向側へ出射する。
【００９５】
これにより、対向車の運転手の視野中央から、主光源１１１から発せられる出射光Ｌ１をより遠ざけることができる。主光源１１１は、例えば、ハイビームとして用いられるために、例えば、ＤＲＬとして用いられる副光源１１２より大きい光量の光を発する。そのため、主光源１１１から発せられる出射光Ｌ１は、眩惑を発生させやすい。そこで、対向車の運転手の視野中央から、主光源１１１から発せられる出射光Ｌ１をより遠ざけることで、眩惑の発生をより抑制させることができる。
【００９６】
また、実施の形態に係る移動体２００は、移動体照明装置１００を前照灯として備える。
【００９７】
これにより、眩惑を生じさせにくい移動体２００が実現される。
【００９８】
（変形例）
続いて、図１１及び図１２を参照して、移動体照明装置１００が備える導光部材の変形例について説明する。
【００９９】
図１１は、第２導光部材１４２ａの変形例と主光源１１１及び副光源１１２との位置関係を説明するための図である。図１２は、第２導光部材１４２ａの変形例の形状を説明するための図である。具体的には、図１２の（ａ）は、第２導光部材１４２ａを移動体２００の進行方向側から見た場合における、第２導光部材１４２ａの正面図である。また、図１２の（ｂ）は、第２導光部材１４２ａを下方から見た場合における、第２導光部材１４２ａの下面図である。
【０１００】
第１導光部材１４１は、例えば、図３に示すように、移動体２００の進行方向に平行な方向に長尺な棒状となっている。
【０１０１】
また、第２導光部材１４２ａは、移動体２００の進行方向側から見て樋状となっている。つまり、例えば、図３では、移動体２００の進行方向側から見た場合に、１つの第１導光部材１４１の下方を、３つの第２導光部材１４２によって囲む構成を例示したが、変形例では、１つの第２導光部材１４２ａによって、第１導光部材１４１を囲む構造となっている。
【０１０２】
このような構成によってもまた、例えば、副光源１１２をＤＲＬ用の光源として用い、主光源１１１をハイビーム用の光源として用いる場合、ＤＲＬからハイビームへ切り替えた場合に、疑似的に配光角を狭角にして光量を高めたような光を、移動体照明装置１００から出射させることができる。これにより、移動体照明装置１００から発せられる光の出射位置の変化は、より抑制される。そのため、移動体照明装置１００によれば、眩惑は、より抑制される。
【０１０３】
また、移動体照明装置１００は、移動体２００の進行方向側から見て、例えば、図１１に示すように、主光源１１１を囲むように配置された複数の副光源１１２を有する。この場合、第２導光部材１４２ａは、複数の副光源１１２のそれぞれに向かって突出する複数の凸部１４２ｂを有してもよい。
【０１０４】
このような構成によれば、凸部１４２ｂのそれぞれによって、複数の副光源１１２からの光を第２導光部材１４２ａに入射させ易くすることができる。つまり、このような構成によれば、第２導光部材１４２ａと副光源１１２との光カップリング効率は、向上される。
【０１０５】
なお、図１１及び図１２には、第１発光部１１０が備える主光源１１１及び副光源１１２における、移動体２００の進行方向側に配置される第２導光部材１４２ａについて例示しているが、第２発光部１２０が備える第２導光部材１４４に、第２導光部材１４２ａの構造が適用されてもよい。
【０１０６】
（他の実施の形態）
以上、実施の形態及び変形例に係る移動体照明装置及び移動体について説明したが、本発明は、上記実施の形態及び変形例に限定されるものではない。
【０１０７】
上記実施の形態では、主光源及び副光源は、例えば、蛍光体と、１つのＬＥＤチップ（発光素子）とを備えると説明したが、主光源及び副光源は、白色光を発することができればよく、構造は特に限定されない。
【０１０８】
例えば、上記実施の形態では、発光素子の一具体例としてＬＥＤチップを用いたが、半導体レーザ等の半導体発光素子、又は、有機ＥＬ（Ｅｌｅｃｔｒｏ  Ｌｕｍｉｎｅｓｃｅｎｃｅ）素子もしくは無機ＥＬ素子等の固体発光素子が、発光素子として採用されてもよい。また、例えば、主光源及び副光源は、それぞれ蛍光の中心波長が異なる２種類以上の蛍光体を備えてもよい。いずれの場合も、上述した移動体照明装置の構成の条件が満たされれば、移動体照明装置は、例えば、対向車の運転手が眩惑を生じることを、抑制させることができる。
【０１０９】
また、例えば、主光源及び副光源は、ＳＭＤ（Ｓｕｒｆａｃｅ  Ｍｏｕｎｔ  Ｄｅｖｉｃｅ）構造のＬＥＤモジュールとして実現されてもよいし、基板にＬＥＤチップが直接実装された、いわゆるＣＯＢ（Ｃｈｉｐ  Ｏｎ  Ｂｏａｒｄ）構造のＬＥＤモジュールでもよい。
【０１１０】
また、本発明の主光源及び副光源は、ＬＥＤチップと離れた位置に蛍光体を含む樹脂部材が配置されたリモートフォスファ型の発光モジュールとして実現されてもよい。
【０１１１】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１１２】
１００  移動体照明装置
１１０  第１発光部
１１１、１２１  主光源
１１２、１２２  副光源
１２０  第２発光部
１３０  制御部
１４１、１４３  第１導光部材
１４２、１４２ａ、１４４  第２導光部材
２４１  導光部材
１４１ａ、２４１ａ  出射面
１４２ｂ  凸部
１５０、１５１  光学部材
２００  移動体
【図１】
2019175826.tif 000003
【図２】
2019175826.tif 000004
【図３】
2019175826.tif 000005
【図４】
2019175826.tif 000006
【図５】
2019175826.tif 000007
【図６】
2019175826.tif 000008
【図７Ａ】
2019175826.tif 000009
【図７Ｂ】
2019175826.tif 000010
【図７Ｃ】
2019175826.tif 000011
【図８Ａ】
2019175826.tif 000012
【図８Ｂ】
2019175826.tif 000013
【図８Ｃ】
2019175826.tif 000014
【図９Ａ】
2019175826.tif 000015
【図９Ｂ】
2019175826.tif 000016
【図１０Ａ】
2019175826.tif 000017
【図１０Ｂ】
2019175826.tif 000018
【図１１】
2019175826.tif 000019
【図１２】
2019175826.tif 000020